(57)【要約】  【課題】  設定された歪補正レベルに対する補正後の状態を迅速且つ的確に判断できる画像処理装置を提供する。  【解決手段】  元画像としての写真画像を入力する画像入力部４０と、入力された元画像を表示する元画像表示部と、表示された元画像に対して撮影レンズに起因する歪を補正する複数の歪補正部５３を備え、前記歪補正部５３が、前記元画像に対する歪補正レベルを設定する歪補正レベル設定部５５と、設定された歪補正レベルに基づいて前記元画像を補正処理する歪補正処理部５６と、補正処理された補正画像を表示する補正画像表示部を備えて構成され、前記補正画像表示部は、前記補正画像を複数の領域に分割して表示するとともに、表示された分割画像を所定の基準倍率で表示する第一表示形態と、設定された倍率に変換して表示する第二表示形態に切替可能に構成されている。  【選択図】  図３
2006174235.tif 000002
【特許請求の範囲】
【請求項１】
元画像としての写真画像を入力する画像入力ステップと、入力された元画像を表示する元画像表示ステップと、表示された元画像に対して撮影レンズに起因する歪を補正する複数の歪補正ステップを備え、前記歪補正ステップが、前記元画像に対する歪補正レベルを設定する歪補正レベル設定ステップと、設定された歪補正レベルに基づいて前記元画像を補正処理する歪補正処理ステップと、補正処理された補正画像を表示する補正画像表示ステップを備えて構成される画像処理方法であって、
前記補正画像表示ステップは、前記補正画像の内部領域の中で、１又は複数の分割領域を表示するとともに、表示された分割画像を所定の基準倍率で表示する第一表示形態と、設定された倍率に変換して表示する第二表示形態に切替可能に構成されている画像処理方法。
【請求項２】
前記補正画像表示ステップに表示される分割画像は、少なくとも歪補正の基準位置を含む分割画像と、前記基準位置から離間した周辺領域を含む分割画像で構成されている請求項１記載の画像処理方法。
【請求項３】
前記歪補正ステップは、元画像に対して色収差補正を行なうものである請求項１または２記載の画像処理方法。
【請求項４】
元画像としての写真画像を入力する画像入力部と、入力された元画像を表示する元画像表示部と、表示された元画像に対して撮影レンズに起因する歪を補正する複数の歪補正部を備え、前記歪補正部が、前記元画像に対する歪補正レベルを設定する歪補正レベル設定部と、設定された歪補正レベルに基づいて前記元画像を補正処理する歪補正処理部と、補正処理された補正画像を表示する補正画像表示部を備えて構成される画像処理装置であって、
前記補正画像表示部は、前記補正画像の内部領域の中で、１又は複数の分割領域を表示するとともに、表示された分割画像を所定の基準倍率で表示する第一表示形態と、設定された倍率に変換して表示する第二表示形態に切替可能に構成されている画像処理装置。
【請求項５】
前記補正画像表示部に表示される分割画像は、少なくとも歪補正の基準位置を含む分割画像と、前記基準位置から離間した周辺領域を含む分割画像で構成されている請求項４記載の画像処理装置。
【請求項６】
前記歪補正部は、元画像に対して色収差補正を行なうものである請求項４または５記載の画像処理装置。
【発明の詳細な説明】
【技術分野】
【０００１】
本発明は、元画像としての写真画像を入力する画像入力ステップと、入力された元画像を表示する元画像表示ステップと、表示された元画像に対して撮影レンズに起因する歪を補正する複数の歪補正ステップを備え、前記歪補正ステップが、前記元画像に対する歪補正レベルを設定する歪補正レベル設定ステップと、設定された歪補正レベルに基づいて前記元画像を補正処理する歪補正処理ステップと、補正処理された補正画像を表示する補正画像表示ステップを備えて構成される画像処理方法及び当該画像処理方法が具現化される画像処理装置に関する。
【背景技術】
【０００２】
通常、光学式カメラで撮影されたフィルム画像をスキャナで読み込み、或いは、デジタルスチルカメラで撮影され記憶媒体に格納された写真画像データを読み込んだデジタル画像データに基づいて、レーザ光学系等のデジタル露光ヘッドを駆動して印画紙を露光処理して写真プリントを得る際には、適正な写真プリントを得るために当該デジタル画像データに対して階調補正やカラー補正等の種々の画像補正処理が行なわれる。
【０００３】
このような画像補正処理の一つに撮影レンズに起因する歪、例えば、レンズの屈折率が光の波長の違いによって異なるために色によりピントがずれる倍率色収差、直線が画面周辺部で曲線となって写り、四角形が糸巻きのように内側にへこんで鼓状になり逆に外側に膨らんで樽状になる歪曲収差、レンズ構造や光の受光面に対する入射角度の振れに起因して中心と比べて周辺が暗くなる周辺減光、レンズ光軸と受光面が垂直に交わらないために例えば台形状に写るあおり等の歪を補正する歪補正処理がある。
【０００４】
これらの歪補正を行なう際には、元画像に対する歪補正レベルを設定する歪補正レベル設定ステップと、設定された歪補正レベルに基づいて前記元画像を補正処理する歪補正処理ステップと、補正画像を表示する補正画像表示処理ステップとがオペレータの操作により実行され、表示された補正画像を目視評価しながらこれらの各ステップが繰り返し実行される。
【特許文献１】特開２０００−３２４３３９号公報
【発明の開示】
【発明が解決しようとする課題】
【０００５】
しかし、上述した従来の画像処理方法では、補正画像が所定の基準倍率、例えば等倍で表示されるものであったために、微妙な補正に対してオペレータがその良否を判断することが困難な状況があった。そこで、正確且つ迅速な判断を可能にするべく補正画像の表示倍率を切替設定できるように構成することが考えられるが、限られた表示領域に拡大表示すると最も歪が大きく表れる画像の周辺が欠落するという問題が生じる。
【０００６】
本発明は、上述の従来欠点に鑑み、設定された歪補正レベルに対する補正後の状態を迅速且つ的確に判断できる画像処理方法及び画像処理装置を提供する点にある。
【課題を解決するための手段】
【０００７】
上述の目的を達成するため、本発明による画像処理方法の第一の特徴構成は、特許請求の範囲の書類の請求項１に記載した通り、元画像としての写真画像を入力する画像入力ステップと、入力された元画像を表示する元画像表示ステップと、表示された元画像に対して撮影レンズに起因する歪を補正する複数の歪補正ステップを備え、前記歪補正ステップが、前記元画像に対する歪補正レベルを設定する歪補正レベル設定ステップと、設定された歪補正レベルに基づいて前記元画像を補正処理する歪補正処理ステップと、補正処理された補正画像を表示する補正画像表示ステップを備えて構成される画像処理方法であって、前記補正画像表示ステップは、前記補正画像の内部領域の中で、１又は複数の分割領域を表示するとともに、表示された分割画像を所定の基準倍率で表示する第一表示形態と、設定された倍率に変換して表示する第二表示形態に切替可能に構成されている点にある。
【０００８】
上述の構成によれば、画像表示処理ステップにおいて、設定された倍率に変換して表示する第二表示形態に切り替えることにより、例えば、設定倍率を拡大倍率とすることによって元画像の複数部位に対応する分割画像が拡大表示されるので、歪の改善の程度が容易に判断できるようになるのである。
【０００９】
同第二の特徴構成は、同請求項２に記載した通り、上述の第一特徴構成に加えて、前記補正画像表示ステップに表示される分割画像は、少なくとも歪補正の基準位置を含む分割画像と、前記基準位置から離間した周辺領域を含む分割画像で構成されている点にある。
【００１０】
上述の構成によれば、第二表示形態において歪の程度が大きく表われる周辺領域を含む画像が分割画像として表示されるので、歪の改善の程度が極めて容易に判断できるようになるのであり、さらに歪補正の基準位置を含む分割画像と対比して判断できるので、写真画像全体としての評価も容易に行なうことができるようになるのである。
【００１１】
同第三の特徴構成は、同請求項３に記載した通り、上述の第一または第二特徴構成に加えて、前記歪補正ステップは、元画像に対して色収差補正を行なうものである点にあり、特に撮影レンズの光軸に対して周辺ほど大きく歪む色収差に対する補正に好適である。
【００１２】
本発明による画像処理装置の第一の特徴構成は、同請求項４に記載した通り、元画像としての写真画像を入力する画像入力部と、入力された元画像を表示する元画像表示部と、表示された元画像に対して撮影レンズに起因する歪を補正する複数の歪補正部を備え、前記歪補正部が、前記元画像に対する歪補正レベルを設定する歪補正レベル設定部と、設定された歪補正レベルに基づいて前記元画像を補正処理する歪補正処理部と、補正処理された補正画像を表示する補正画像表示部を備えて構成される画像処理装置であって、前記補正画像表示部は、前記補正画像の内部領域の中で、１又は複数の分割領域を表示するとともに、表示された分割画像を所定の基準倍率で表示する第一表示形態と、設定された倍率に変換して表示する第二表示形態に切替可能に構成されている点にある。
【００１３】
同第二の特徴構成は、同請求項５に記載した通り、上述の第一特徴構成に加えて、前記補正画像表示部に表示される分割画像は、少なくとも歪補正の基準位置を含む分割画像と、前記基準位置から離間した周辺領域を含む分割画像で構成されている点にある。
【００１４】
同第三の特徴構成には、同請求項６に記載した通り、前記歪補正部は、元画像に対して色収差補正を行なうものである点にある。
【発明の効果】
【００１５】
以上説明した通り、本発明によれば、設定された歪補正レベルに対する補正後の状態を迅速且つ的確に判断できる画像処理方法及び画像処理装置を提供することができるようになった。
【発明を実施するための最良の形態】
【００１６】
以下に本発明による実施の形態を画像処理方法及び画像処理装置を写真処理装置に適用した場合について説明する。図１に示すように、写真画像処理装置１は、印画紙Ｐに対して出力画像データに基づいた露光処理を行なうと共に露光された印画紙を現像処理する写真プリンタ２と、現像済みの写真フィルムＦから画像を読み込むフィルムスキャナ３１やデジタルスチルカメラ等で撮影された画像データが格納されたメモリカード等の画像データ記憶メディアＭから画像データを読み取るメディアドライバ３２や、コントローラ３３としての汎用コンピュータ等を備え、入力された元画像としての写真画像に対するプリントオーダ情報を設定入力するとともに、各種の画像補正処理を行なう操作ステーション３を備えて構成され、前記操作ステーション３で元画像から編集処理されたプリントデータが前記写真プリンタ２に出力されて所望の写真プリントが生成される。
【００１７】
前記写真プリンタ２は、図１及び図２に示すように、ロール状の印画紙Ｐを収容した二系統の印画紙マガジン２１と、前記印画紙マガジン２１から引き出された印画紙Ｐを所定のプリントサイズに切断するシートカッター２２と、切断後の印画紙Ｐの背面にコマ番号等のプリント情報を印字するバックプリント部２３と、前記プリントデータに基づいて印画紙Ｐを露光する露光部２４と、露光後の印画紙Ｐを現像、漂白、定着するための各処理液が充填された複数の処理槽２５ａ，２５ｂ，２５ｃを備えた現像処理部２５が印画紙Ｐの搬送経路に沿って配置され、現像処理後に乾燥処理された印画紙Ｐが排出される横送りコンベア２６と、横送りコンベア２６に集積された複数枚の印画紙（写真プリント）Ｐがオーダー単位で仕分けられるソータ２７を備えて構成される。
【００１８】
前記露光部２４には、前記搬送機構２８によって副走査方向に搬送される印画紙Ｐに対して、搬送方向に直交する主走査方向に前記プリントデータに基づき変調されたＲＧＢ三色の光線束を出力して露光する露光ヘッド２４ａが収容されている。
【００１９】
前記搬送経路に沿って配置された前記露光部２４や現像処理部２５に応じたプロセス速度で印画紙Ｐを搬送する複数のローラ対でなる搬送機構２８が配置され、前記露光部２４の前後には印画紙Ｐを複列に搬送可能なチャッカー式搬送機構２８ａが設けられている。
【００２０】
前記操作ステーション３に設けられたコントローラ３３には、汎用のオペレーティングシステムの管理下で動作し、前記写真処理装置１の各種制御が実行されるアプリケーションプログラムがインストールされ、オペレータとの操作インターフェースとしてモニタ３４、キーボード３５、マウス３６等が接続されている。
【００２１】
前記コントローラ３３のハードウェア及びソフトウェアの協同により実行される写真処理プロセスを機能ブロックで説明すると、図３に示すように、前記フィルムスキャナ３１やメディアドライバ３２によって読み取られた元画像としての写真画像を受け取り、所定の前処理を行なって後述のメモリ４１に転送する画像入力部４０と、前記モニタ３４の画面にプリントオーダ情報や画像編集情報を表示するとともに、それらに対して必要なデータ入力のための操作用アイコンを表示するグラフィック操作画面の生成や、表示されたグラフィック操作画面に対する前記キーボード３５やマウス３６からの入力操作に基づいて各種の制御コマンドを生成するグラフィックユーザーインターフェース部４２と、前記画像入力部４０から転送される元画像データ及び後述の画像処理部４７による補正処理後の補正画像データやそのときの処理パラメータ、更には設定されたプリントオーダ情報等が区画されて格納されるメモリ４１と、プリントオーダ情報を生成するオーダー処理部４３と、前記メモリ４１に格納された元画像に対して階調補正、カラー補正、拡縮処理、歪補正等の各種の補正を行なう画像処理部４７と、前記グラフィックユーザーインターフェース部４２からの表示コマンドに基づいて前記メモリ４１に展開された元画像や補正画像データ、更には各種の入出力用グラフィックデータ等を前記モニタ３４に表示処理するビデオＲＡＭ等を備えた表示制御部４６と、各種の補正処理が終了した最終の補正画像を前記写真プリンタ２に出力するためのプリントデータを生成するプリントデータ生成部４４と、顧客のオーダーに応じて最終の補正画像をＣＤ−Ｒ等の記憶媒体に書き込むためのファイル形式に変換するフォーマッタ部４５等で構成される。
【００２２】
前記フィルムスキャナ３１は、フィルムＦに記録された画像を低解像度ではあるものの高速で読み取るプレスキャンモードと、低速ではあるものの高解像度で読み取る本スキャンモードの二モードで作動するように構成され、プレスキャンモードで読み込まれた低解像度の画像に対して後述の各種の補正処理が行なわれ、その際に前記メモリ４１に記憶された補正パラメータに基づいて本スキャンモードで読み込まれた高解像度の画像に対する最終の補正処理が実行される。同様に、前記メディアドライバ３２から読み込まれた画像ファイルには高解像度の撮影画像とそのサムネイル画像が含まれ、サムネイル画像に対して後述の各種の補正処理が行なわれ、その際に前記メモリ４１に記憶された補正パラメータに基づいて高解像度の撮影画像に対する最終の補正処理が実行される。尚、画像ファイルにサムネイル画像が含まれないときには、前記画像入力部４０で高解像度の撮影画像からサムネイル画像が生成されて前記メモリ４１に転送される。このように、低解像度の画像に対して頻繁に試行錯誤される各種の編集処理が実行されることによりコントローラ３３の演算負荷が低減されるように構成されている。
【００２３】
前記画像処理部４７は、例えば撮影時の露出設定の過不足による主要被写体の階調性を補正する階調補正部５０、例えば主要被写体の肌色を美しく再現するカラー補正部５１、写真プリントのサイズに適した画像サイズに変換する拡縮処理部５２、例えば画像の鮮鋭性を確保し粒状ノイズを低減するフィルタ処理部（図示せず）、元画像に対して撮影レンズに起因する歪を補正する歪補正部５３等を備えて構成される。
【００２４】
前記歪補正部５３は、レンズの屈折率が光の波長の違いによって異なるために色によりピントがずれる倍率色収差を補正する倍率色収差補正部５３ａ、直線が画面周辺部で曲線となって写り、四角形が糸巻きのように内側にへこんで鼓状になり逆に外側に膨らんで樽状になる歪曲収差を補正する歪曲収差補正部５３ｂ、レンズ構造や光の受光面に対する入射角度の振れに起因して中心と比べて周辺が暗くなる周辺減光を補正する周辺減光補正部５３ｃ、レンズ光軸と受光面が垂直に交わらないために例えば台形状に写るあおりを補正するあおり補正部５３ｄ等で構成され、各歪補正部５３は、前記元画像に対する補正基準点を設定する基準点設定部５４と、前記元画像に対する歪補正レベルを設定する歪補正レベル設定部５５と、設定された補正基準点及び歪補正レベルに基づいて前記元画像を補正処理する歪補正処理部５６と、補正処理された補正画像を領域分割するとともに、オペレータの操作により設定された倍率で拡縮処理を行なう領域分割・拡縮処理部５７等を備えて構成されている。
【００２５】
以下、図４に示すフローチャート、及び、図５から図９に示すモニタ３４の表示画面説明図に基づいて、前記歪補正部５３による歪補正手順を詳述する。顧客のプリント注文に対応してオペレータが前記フィルムスキャナ３１にフィルムＦをセットしてプレスキャンモードで作動させるか、または撮影画像ファイルが格納されたメモリカードＭをメディアドライバ３２にセットすると、読み込まれたコマ画像が前記画像入力部４０を介して前記メモリ４１にロードされ（Ｓ１）、前記モニタ３４にプレジャッジ画面が表示される（Ｓ２）。図５に示すように、プレジャッジ画面では６コマの元画像が上下二段の画像表示枠６０に表示され、各画像表示枠６０の下部に色濃度補正設定領域６１、プリント枚数設定領域６２が配置されている。
【００２６】
前記色濃度補正設定領域６１にはイエロー、マゼンダ、シアンの各カラーバランス調整アイコン６１ａ〜６１ｃと濃度調整アイコン６１ｄが表示され、各アイコンを前記マウス３６でクリックすると−３(最淡)、−２、−１、０、１、２、３（最濃）のプルダウンメニューが表示され、該当するレベルを選択するとその選択値がアイコン表面に表示され、当該表示枠に表示される補正後の画像を目視して補正の程度を評価できるように構成されている。尚、補正無しのときにはニュートラル表示Ｎが表示される。また、前記プリント枚数設定領域６２にはプリント枚数設定アイコン６２ａが表示され、当該アイコン６２ａをクリックして表示される設定枠にキーボード３５を介して数値入力するとプリント枚数が設定される（Ｓ３）。
【００２７】
前記画像表示枠６０の下部領域にはプリント設定表示領域６３が配置され、当該プリントオーダに基づく印画紙サイズ、インデックスの要否、メディア出力の要否等の条件が設定可能に構成され、設定された条件に合致するプリントチャンネルが表示されるように構成されている。
【００２８】
前記画像表示枠６０に表示された各コマ画像に対する詳細な補正、例えば、カラーバランスを詳細に調整するトーンカーブの補正処理、画像の鮮鋭度を改善する鮮鋭化処理、画像に装飾効果を付加するクロスフィルタ処理、撮影レンズに起因する歪を補正する歪補正等を行なう必要があるとオペレータによって判断されると、対応するコマ画像がダブルクリックされることにより詳細な補正処理画面である１コマ拡大表示画面に更新表示される（Ｓ４，Ｓ５）。
【００２９】
図６に示すように、前記１コマ拡大表示画面では、画面中央部に配置された拡大画像表示領域６４に補正対象画像（６コマ表示画面で表示された元画像または補正された補正画像）が拡大表示され、画面右側部に上述の色濃度補正設定領域６５、詳細補正タブ領域６６が夫々表示されるように配置される。前記補正タブ領域６６は、トーンカーブの補正処理等を行なう補正１タブ６６ａと、クロスフィルタ処理や歪補正処理等を行なう補正２タブ６６ｂが配置され、補正２タブ６６ｂに表示されている手動レンズ収差補正アイコン６７が選択されると（Ｓ６）、本発明による歪補正処理画面に遷移する。
【００３０】
図７に示すように、歪補正処理画面では、同じく画面中央部に配置された拡大画像表示領域６８の右側上部にコマ画像の内で前記拡大画像表示領域６８に表示されている画像領域を枠線６９ａで示す表示確認領域６９、その下に歪補正の基準となる中心座標（補正基準点）ＣＰを示す中心座標確認領域７０が配置され、前記拡大画像表示領域６８の下方に前記周辺減光補正部５３ｃによる歪補正を作動させる周辺光量補正アイコン７１、前記倍率色収差補正部５３ａによる歪補正を作動させる色収差補正アイコン７２、前記歪曲収差補正部５３ｂによる歪補正を作動させる歪補正アイコン７３、前記あおり補正部５３ｄによる歪補正を作動させる台形補正アイコン７４が夫々位置され、その右横に選択された歪補正を実行させる補正実行アイコン７５が配置されている。
【００３１】
オペレータが前記マウス３６を操作して歪補正アイコンの何れかをクリックして何れかの歪補正を選択した後に（Ｓ７）、前記表示確認領域６９に表示されている枠表示を移動操作することにより前記拡大画像表示領域に表示される画像領域が変更され（Ｓ８）、表示サイズ設定領域７６の倍率を変更することにより前記拡大画像表示領域６８に表示される画像が拡大または縮小表示される（Ｓ９）。さらに、前記拡大画像表示領域６８に表示されるクロスラインＬを前記マウス３６でドラッグアンドドロップすることにより前記元画像に対する補正基準点ＣＰの設定が行なわれ、設定された補正基準点ＣＰが前記基準点記憶部４１に記憶される（Ｓ１０）。
【００３２】
次に、オペレータが前記補正実行アイコン７５をクリックすることにより（Ｓ１１）、選択された歪補正の詳細設定画面に表示切替される。例えば、色収差補正アイコン７２が選択された状態で前記補正実行アイコン７５をクリックすれば、図８に示す色収差補正画面に表示切替される（Ｓ１２）。
【００３３】
前記色収差補正画面は、画面中央部に九つの補正画像が表示される補正画像表示領域７８が配置され、その右側上部に表示サイズ設定領域８２、その下部に前記補正画像表示領域７８の中央位置に表示される画像部分が元画像上に枠線７９ａで示される表示確認領域７９が配置され、さらにその下部に縦軸方向の補正レベルを設定するための縦軸方向補正レベル設定領域８０が配置され、前記補正画像表示領域７８の下部に横軸方向の補正レベルを設定するための横軸方向補正レベル設定領域８１が配置されている。
【００３４】
前記補正画像表示領域７８には、前記領域分割・拡縮処理部５７によって補正画像が複数の領域７８ａ〜７８ｉに分割して表示されるとともに、表示された分割画像を所定の基準倍率で表示する第一表示形態と、設定された倍率に変換して表示する第二表示形態に切替可能に構成されている。
【００３５】
詳述すると、上述の表示確認領域７９の枠線７９ａで囲まれた領域が前記補正画像表示領域７８の中央部の領域７８ｅに表示され、元画像が四つの角部領域及び各角部領域の中間領域の八領域に分割され、各分割領域が上述の領域７８ａ〜７８ｉに対応して表示される。前記分割画像は、少なくとも前記ステップＳ１０で設定された歪補正の基準位置（初期状態では画像の中心位置に設定され、オペレータにより変更設定可能である）を含む分割画像、つまり中央部の領域７８ｅに表示された分割画像と、前記基準位置から離間した周辺領域を含む分割画像で構成されている。そして、前記表示サイズ設定領域８２におけるアップダウンキーを操作することにより表示サイズが変更設定され、例えば、図８に示す１００％画像である第一表示形態から図９に示す４００％画像である第二表示形態に拡大表示される（Ｓ１３）。具体的には、設定された表示サイズに拡縮処理された前記メモリ４１上の画像から前記補正画像表示領域７８の分割領域に表示できるサイズに切り取って表示されるのであるが、予め分割領域に表示できるサイズに対応した領域のみ拡縮処理するものであってもよい。
【００３６】
上述したように、色収差はレンズの屈折率が光の波長の違いによって異なるために色によりピントがずれる現象であり、レンズの光軸から離間する周辺ほどその程度が大きく現れる。そこで、色収差が極小または無い基準位置から離間した周辺領域、好ましくは元画像の縁部を含む分割画像が拡大表示されることにより収差の補正の程度が非常に容易に判断できるようになるのである。
【００３７】
この状態で、縦軸方向及び横軸方向の補正レベルを設定することにより歪補正処理が実行され（Ｓ１４）、目視評価の結果、不十分であればステップＳ１４またはステップＳ１３に戻って補正処理が繰り返される。
【００３８】
補正レベルの設定について詳述すると、図８及び図９の縦軸方向補正レベル設定領域８０及び横軸方向補正レベル設定領域８１に表示された基準色アイコン８０ａ，８１ａのＲ（赤）Ｇ（緑）Ｂ（青）の何れか、例えばＲを基準色として選択し、Ｒに対する他の二色ＧＢの補正レベルを調整ゲージ８０ｂ，８０ｃ，８１ｂ，８１ｃの操作により設定するものである。各調整ゲージの摘みアイコンを前記マウス３６でドラッグアンドドロップ操作することにより補正レベルの設定がなされ、摘みアイコンを中央位置から上方または左方に移動させると基準色Ｒに対して広がり方向に補正され、中央位置から下方または右方に移動させると基準色Ｒに対して狭まり方向に補正される。つまり、前記補正基準点をベースとしてＲ成分プレインに対するＧ成分プレイン及びＢ成分プレインの縦横倍率を異なる値に変換処理するもので、その倍率の程度が前記摘みアイコンで設定されるのである。
【００３９】
補正画像を目視して結果が十分であると判断されるとＯＫアイコン８３がクリックされて色収差補正処理が終了する（Ｓ１５）。このとき、設定されている補正基準点及び補正レベルが前記メモリ４１に記憶され、図７に示す歪補正処理画面に戻る。ここで、前記メモリ４１に格納された補正基準点及び補正レベルの各データは、後ほど写真プリントの出力のための高解像度画像に対する歪補正処理に用いられる。尚、キャンセルアイコン８４がクリックされると１ステップ前の補正操作段階に戻る。
【００４０】
ステップＳ７に戻って前記周辺光量補正アイコン７１、歪補正アイコン７３、台形補正アイコン７４の各選択操作に対応して夫々固有の歪補正処理が繰り返された後に歪補正処理が終了する（Ｓ１６）。
【００４１】
このようにしてプレジャッジ画面で設定された各コマ画像に対する各種の補正設定処理やオーダー情報の設定処理が終了すると、高解像度データに対して最終の補正処理が施された後に前記プリントデータ生成部４４に送られて前記写真プリンタ２に対するプリントデータが生成される。
【００４２】
尚、上述のグラフィックユーザーインターフェース部４２、表示制御部４６及びモニタ３４により入力された元画像を表示する元画像表示部か構成され、更に領域分割・拡縮処理部５７を含めて補正処理された補正画像を表示する補正画像表示部が構成される。
【００４３】
以下に別実施形態を説明する。上述した実施形態では、補正画像を複数の領域に分割して表示するとともに、表示された分割画像を所定の基準倍率で表示する第一表示形態と、設定された倍率に変換して表示する第二表示形態に切替可能に構成された補正画像表示部を色収差補正に適用したものを説明したが、当該補正画像表示部は他の歪補正に適用されるものであってもよい。
【００４４】
上述した実施形態における元画像に対する補正基準点を設定する基準点設定部、元画像に対する歪補正レベルを設定する歪補正レベル設定部、設定された補正基準点及び歪補正レベルに基づいて元画像を補正処理する歪補正処理部、補正処理された補正画像を表示する補正画像表示部の夫々の具体的な処理手順や、補正アルゴリズムは一例に過ぎず、本発明の作用効果を奏する範囲において適宜変更構成可能なことは言うまでも無い。さらに、元画像に対する歪補正レベルとは、元画像そのものに対する歪補正レベルのみならず、補正対象画像に対する歪補正レベルをも含む概念で、歪補正された補正画像に対しての補正レベルをも含むものである。
【００４５】
サムネイル画像やプレスキャンによる低解像度画像に対して処理された歪補正を後に高解像度画像に反映させるものに限らず、歪補正時に対象画像を本スキャンにより獲得して、高解像度画像に対して直接歪補正を施すように構成するものであってもよい。
【図面の簡単な説明】
【００４６】
【図１】写真画像処理装置の外観説明図
【図２】写真プリンタのブロック構成図
【図３】写真画像処理装置の機能ブロック構成図
【図４】写真画像処理手順を説明するフローチャート
【図５】モニタの表示画面（プレジャッジ画面）の説明図
【図６】モニタの表示画面（１コマ拡大表示画面）の説明図
【図７】モニタの表示画面（歪補正処理画面）の説明図
【図８】モニタの表示画面（色収差補正画面）の説明図
【図９】モニタの表示画面（色収差補正画面）の説明図
【符号の説明】
【００４７】
１：画像処理装置（写真画像処理装置）
５３：歪補正部
５３ａ：倍率色収差補正部
５３ｂ：歪曲収差補正部
５３ｃ：周辺減光補正部
５３ｄ：あおり補正部
５４：基準点設定部
５５：歪補正レベル設定部
【図１】
2006174235.tif 000003
【図２】
2006174235.tif 000004
【図３】
2006174235.tif 000005
【図４】
2006174235.tif 000006
【図５】
2006174235.tif 000007
【図６】
2006174235.tif 000008
【図７】
2006174235.tif 000009
【図８】
2006174235.tif 000010
【図９】
2006174235.tif 000011